(57)【要約】【課題】            従来の電子錠にあっては内蔵されている制御用の電子回路や閂部材（デッドボルト）を作動させるためのメカニズムに故障が発生した場合、屋外側からは開錠、即ち閂部材（デッドボルト）を引込ますための手段が一切なく、専門家の到着を待ち続ける状況となってしまう点である。【解決手段】        電子錠本体から出入する閂部材の受穴を形成した受け部材を有し、その受け部材に、前記した閂部材の頭部と摺接するテーパ面もしくはアール面を備え、閂部材を電子錠本体の方向へ押し戻す押圧スライド部材を備えていることとし、押圧スライド部材のテーパ面には突条部を連続して備え、その突条部を前記した受穴と連続するガイド溝と嵌合させてあることとし、押圧スライド部材は反力による浮き上がりを防止する押え部材で押えられていることとする。【選択図】          図１
2006057304.tif 000002
【特許請求の範囲】
【請求項１】
電子錠本体から出入する閂部材の受穴を形成した受け部材を有し、その受け部材に、前記した閂部材の頭部と摺接するテーパ面もしくはアール面を備え、閂部材を電子錠本体の方向へ押し戻す押圧スライド部材を備えていることを特徴とする電子錠の緊急開錠装置。
【請求項２】
前記した押圧スライド部材のテーパ面には突条部を連続して備え、その突条部を前記した受穴と連続するガイド溝と嵌合させてあることを特徴とする請求項１に記載の電子錠の緊急開錠装置。
【請求項３】
前記した押圧スライド部材の後端面にはラック部材を一体に突出して備え、そのラック部材にモータ駆動によるギア機構を噛合させてあることを特徴とする請求項１または請求項２に記載の電子錠の緊急開錠装置。
【請求項４】
前記した押圧スライド部材は反力による浮き上がりを防止する押え部材で押えられていることを特徴とする請求項１、請求項２または請求項３に記載の電子錠の緊急開錠装置。
【請求項５】
前記した受け部材には制御用の電子回路が搭載されており、この電子回路からは屋外側に先端が配置されるケーブルが接続され、そのケーブルの先端には補助電源端子と受光素子が少なくとも備えられていることを特徴とする請求項１、請求項２、請求項３または請求項４に記載の電子錠の緊急開錠装置。
【請求項６】
前記した制御用の電子回路には先端に屋内側へ向けられる受光素子を備えた第二のケーブルが接続されていることを特徴とする請求項５に記載の電子錠の緊急開錠装置。
【請求項７】
前記した第二のケーブルに備えられた受光素子は受け部材に形成された取り付け用透孔にセットされることを特徴とする請求項６に記載の電子錠の緊急開錠装置。
【請求項８】
前記した制御用の電子回路には無線電波の受信アンテナが接続されていることを特徴とする請求項５、請求項６または請求項７に記載の電子錠の緊急開錠装置。
【発明の詳細な説明】
【技術分野】
【０００１】
本発明は電子錠の緊急開錠装置、特に建造物の出入口や窓、あるいは各室の出入口に設置されるドア等の開口部開閉体に装備される電子錠の緊急開錠装置に関する。
【背景技術】
【０００２】
従来より電子錠は鍵と組み合わせる機械的な錠と異なり、鍵穴の存在が不要となるため、現在急増しているピッキング犯罪に対応するものとして多く使用されるようになっており、その施錠、開錠にはコードナンバー等が情報として載せられている光線や無線電波を用いるものやテンキーを付けて暗唱番号を入力するもの、指紋や掌絞等の身体的特性を媒介とするもの等がある。
【０００３】
これらの電子錠はいずれもメモリーと入力された情報を比較し、閂部材（デッドボルト）を作動させて施錠、開錠を行なうが、現在では電子錠本体における内蔵バッテリーの電力が消耗してしまった場合に対処するものとして図５に示すような構造のものが知られている。
【０００４】
図５に示すのは現状における電子錠の設置構造の断面図であり、１はドアを示している。このドア１の屋内側上方には電子錠本体２が複数本のねじ３、３‥等の固定手段によって固定取り付けされている。また、図中４はドアフレームを示しており、このドアフレーム４には電子錠本体２から出入する閂部材（デッドボルト）５の先端を受け施錠状態とする受穴６ａを形成した受金具６がねじ７、７‥等の固定手段によって固定取り付けされている。
【０００５】
また、図５にあって８は電子錠本体２に内蔵されている制御用の電子回路と接続されているケーブルであり、このケーブル８はドア１とドアフレーム４の隙間を通してその先端をドア１の屋外側面に固定してある。このケーブル８の先端には市販されている９Ｖ乾電池で電力を前記電子回路へ送る補助電力端子９ａ、９ｂ及びリモートコントローラ等とした電子キー１０の赤外線発光素子１１からの信号を受ける受光素子１２が備えられている。なお、１０ａは施錠スイッチ、１０ｂは開錠スイッチを示している。さらに、格別に図示していないが、前記した電子回路からはアンテナ線も延設されて、無線電波信号によっても対応することができるものとなっている。
【０００６】
この電子錠本体２にあって内蔵バッテリーが消耗してしまった場合には、ケーブル８の屋外側先端に備えられた補助電力端子９ａ、９ｂを利用することで電力を供給して開錠することが可能となる。さらに、電子キー１０を屋内に忘れた場合等は携帯電話機で室内の電話機を呼び出し、その室内電話機から中継器を介して、屋内側に設けられた別途の受光素子に対して開錠暗号信号を送り、開錠することも可能となっている。尚、この開錠は無線電波を用いたリモートコントローラでも可能となる。
【０００７】
しかしながら、従来の電子錠にあっては内蔵バッテリーの消耗に対しては上記のように対処することができるが、電子回路やメカニズムが故障してしまった場合、開錠するための手段がなく、専門家を呼んで開錠してもらうこととなるが、その専門家の到着までの間は屋外に締め出し状態となってしまう虞があった。
【特許文献１】特願２００４−１０４４６号出願書類
【発明の開示】
【発明が解決しようとする課題】
【０００８】
本発明が解決しようとする問題点は、従来の電子錠にあっては内蔵されている制御用の電子回路や閂部材（デッドボルト）を作動させるためのメカニズムに故障が発生した場合、屋外側からは開錠、即ち閂部材（デッドボルト）を引込ますための手段が一切なく、専門家の到着を待ち続ける状況となってしまう点である。
【課題を解決するための手段】
【０００９】
上記した問題点を解決するために、本発明に係る電子錠の緊急開錠装置は電子錠本体から出入する閂部材の受穴を形成した受け部材を有し、その受け部材に、前記した閂部材の頭部と摺接するテーパ面もしくはアール面を備え、閂部材を電子錠本体の方向へ押し戻す押圧スライド部材を備えていることを特徴とし、前記した押圧スライド部材のテーパ面には突条部を連続して備え、その突条部を前記した受穴と連続するガイド溝と嵌合させてあることを特徴とし、前記した押圧スライド部材の後端面にはラック部材を一体に突出して備え、そのラック部材にモータ駆動によるギア機構を噛合させてあることを特徴とし、前記した押圧スライド部材は反力による浮き上がりを防止する押え部材で押えられていることを特徴としている。
【００１０】
また、本発明に係る電子錠の緊急開錠装置は前記した受け部材には制御用の電子回路が搭載されており、この電子回路からは屋外側に先端が配置されるケーブルが接続され、そのケーブルの先端には補助電源端子と受光素子が少なくとも備えられていることを特徴とし、前記した制御用の電子回路には先端に屋内側へ向けられる受光素子を備えた第二のケーブルが接続されていることを特徴とし、前記した第二のケーブルに備えられた受光素子は受け部材に形成された取り付け用透孔にセットされることを特徴とし、前記した制御用の電子回路には無線電波の受信アンテナが接続されていることを特徴としている。
【発明の効果】
【００１１】
本発明に係る電子錠の緊急開錠装置は上記のように構成されているので、電子錠に内蔵されている電子回路やメカニズムに故障が発生した場合には、受け部材に搭載されている電子回路に外部から電力を与え、押圧スライド部材を稼動させることで、その押圧スライド部材のテーパもしくはアール面が閂部材（デッドボルト）の頭部を押し、強制的に電子錠内へ戻し、少なくとも受穴との係合を外して開錠状態とすることができる。
【００１２】
また、押圧スライド部材に設けられた突条部とガイド溝との嵌合によって受け部材の有する自体の肉厚による差を解消して、閂部材（デッドボルト）を残すことなく完全に電子錠本体内へ押し戻してやることが可能となる。
【発明を実施するための最良の形態】
【００１３】
図面で示す実施例の構成とすることにより実現した。
【実施例１】
【００１４】
次に、本発明の好ましい実施の一例を図面を参照して説明する。図１は本発明を実施した電子錠の緊急開錠装置を示す斜視図、図２は同じく押圧スライド部材の断面図、図３は同じく押圧スライド部材と受け部材との嵌合状態を示す図、図４は同じく受け部材とカバーケーシングを示す斜視図である。
【００１５】
電子錠本体２は従前と同様にドア１の上方に装着されることを想定しているが、この電子錠本体２の取り付け位置は格別にこだわるものではなく、ドア１の四辺のいずれの位置にあってもよい。また、図中１３は断面Ｌ字状に形成された受け部材を示しており、この受け部材１３には閂部材（デッドボルト）５が出入される受穴１４が透孔状態として形成されている。この受け部材１３はドアフレーム４において、図５で示す受金具６と同様の位置に、この受け金具６に代えて固着されるものとなる。
【００１６】
受け部材１３の立ち上がり壁１３ａの内面には制御用の電子回路１５が搭載されており、その電子回路１５からは、受け部材１３の端部に形成された切り欠き部１６を通してケーブル１７が接続されている。このケーブル１７は図５に示すケーブル８と同様にドア１とドアフレーム４との隙間を通して先端が屋外へ導かれ、固定されるものとなっており、このケーブル１７の先端には９Ｖ乾電池１８から電力を受ける補助電力端子１９ａ、１９ｂ及び赤外線を受光する受光素子２０が備えられている。また、電子回路１５には無線電波を受信するアンテナ３７も取り付けられている。
【００１７】
前記した電子回路１５にはさらに第二のケーブル２１も接続されており、この第二のケーブル２１の先端には前述した室内電話機及び中継器を介して発信される赤外線を受ける受光素子２２が受光しやすいように受け部材１３とカバーケーシング３６で囲われた空間の外部に屋内側に向けて接着取り付けをする。受け部材１３とカバーケーシング３６で囲われた空間に取り付ける場合はこの受光素子２２は屋内側に向け、立ち上がり壁１３ａに穿設された取り付け孔２３に合わせて、また、カバーケーシング３６の取り付け孔２３ａから受光できるようにセットされることとなる。中継器と受光素子間に障害物がある場合は光ファイバーを介して導光するのはいうまでもない事である。
【００１８】
一方、図中２４は電子回路１５によって稼動される駆動モータであり、この駆動モータ２４のモータ軸にはウォームギア２５が設けられている。このウォームギア２５はギア２６と噛合されており、このギア２６を回転させる。ギア２６の軸にはピニオン２７が形成されており、このピニオン２７はラック部材２８と噛合され、このラック部材２８を直進動させるものとなっている。
【００１９】
前記したラック部材２８の前端は押圧スライド部材２９の後端と一体的に連結されている。この押圧スライド部材２９の前方側下面には先細りとなるテーパ面３０が形成され、このテーパ面３０が受穴１４から突出している閂部材（デッドボルト）５の頭部と摺接し、これを電子錠本体２方向へ押し入れるものとなる。
【００２０】
また、前記した押圧スライド部材２９の下面には前記したテーパ面３０と連続する突条部３１が一体に形成されており、この突条部３１は前記した受穴１４と連通するガイド溝３２に嵌合されている。この突条部３１とガイド溝３２の嵌合構造によって受け部材１３の素材自体として有する肉厚寸法を解消して、最終的に突条部３１が閂部材（デッドボルト）５の頭部を押し込み、その閂部材（デッドボルト）５の頭部先端と受穴１４の肉厚部分との係合もなくして完全な開錠状態を得ることができることとなる。尚、前記した突条部３１は受け部材１３の肉厚寸法よりも１〜２ｍｍ程度大きく突出されることも可能で、これによってより一層十分な押圧力を与えることができる。
【００２１】
さらに、図中３３は立ち上がり壁１３ａに搭載されたリミットスイッチを示しており、押圧スライド部材２９の前進により、その先端で押され入力することで駆動モータ２４の動きが停止され、押圧スライド部材２９の進行が停止される。
【００２２】
そして、図中３４は押圧スライド部材２９の押え部材であり、この押え部材３４は略門型に形成され、その下端をねじ３４ａ、３４ａ‥等の固定手段によって受け部材１３に固定されている。押圧スライド部材２９はこの押え部材３４を貫通して作動するものとなっており、押圧スライド部材２９が閂部材（デッドボルト）５の頭部を押す際の反力によって押圧スライド部材２９が浮き上がってしまうことを防止している。
【００２３】
また、図中３５は前記したラック部材２８の後端に一体に備えられた復元操作棒であり、電子錠本体２の開錠後に屋内に入り、この復元操作棒３５を摘んで引くことでラック部材２８及び押圧スライド部材２９を初期状態に復元することができる。なお、この復元操作棒３５には指掛け用のリング等を付設することも可能である。
【００２４】
さらに、図中５ａは閂部材（デッドボルト）５に突設された手動操作子であり、この手動操作子５ａは電子錠本体２に形成された長孔２ａから外部に露出され、屋内側から手動によって強制的に閂部材（デッドボルト）５の操作を行なうことを可能としている。
【００２５】
前記した受け部材１３には図４に示すように断面Ｌ字形をしたカバーケーシング３６が合わされて機構を隠し、外観上の保全を図っている。即ち、受け部材１３とカバーケーシング３６が合わされることで全体として角筒状のケースボックスが形成されることとなる。また、押圧スライド部材２９の進行方向は図１に示したものと逆方向とすることも可能であり、立ち上がり壁１３ａとカバーケーシング３６のいずれかが屋内側となるので、カバーケーシング３６にも受光素子２２と対応する取り付け孔２３ａが穿設されている。
【００２６】
本実施例は上述したように構成されている。本実施例にあって押圧スライド部材２９にはテーパ面３０を形成してあるが、このテーパ面３０は凹状のアール面とすることもでき、押え部材３４も上方から押える転接ローラ等に代替すること及び電子回路１５に対し、無線電波で信号を送ること等も可能である。
【産業上の利用可能性】
【００２７】
本発明に係る電子錠の緊急開錠装置はこのように構成されているので、電子錠の閂部材（デッドボルト）に対してのみでなく、附勢されて突出した部材を強制的に押し戻す機構が必要な部位に応用実施することが可能である。
【図面の簡単な説明】
【００２８】
【図１】本発明を実施した電子錠の緊急開錠装置を示す斜視図である。
【図２】押圧スライド部材の断面図である。
【図３】押圧スライド部材と受け部材との嵌合状態を示す図である。
【図４】は同じく受け部材とカバーケーシングを示す斜視図である。
【図５】従来の電子錠の取り付け構造を示す断面図である。
【符号の説明】
【００２９】
１      ドア
２      電子錠
２ａ    ガイド溝
３      ねじ
４      ドアフレーム
５      閂部材（デッドボルト）
５ａ    手動操作子
６      受金具
６ａ    受穴
７      ねじ
８      ケーブル
９ａ    補助電力端子
９ｂ    補助電力端子
１０    電子キー
１０ａ  施錠スイッチ
１０ｂ  開錠スイッチ
１１    赤外線発光素子
１２    受光素子
１３    受け部材
１３ａ  立ち上がり壁
１４    受穴
１５    電子回路
１６    切り欠き部
１７    ケーブル
１８    ９Ｖ乾電池
１９ａ  補助電力端子
１９ｂ  補助電力端子
２０    受光素子
２１    第二のケーブル
２２    受光素子
２３    取り付け孔
２３ａ  取り付け孔
２４    駆動モータ
２５    ウォームギア
２６    ギア
２７    ピニオン
２８    ラック部材
２９    押圧スライド部材
３０    テーパ面
３１    突条部
３２    ガイド溝
３３    リミットスイッチ
３４    押え部材
３４ａ  ねじ
３５    復元操作棒
３６    カバーケーシング
３７    アンテナ
【図１】
2006057304.tif 000003
【図２】
2006057304.tif 000004
【図３】
2006057304.tif 000005
【図４】
2006057304.tif 000006
【図５】
2006057304.tif 000007